(57)【要約】【課題】オーブン機能を備え、安全且つ容易に火力を調整することができる燃焼器具を提供すること。【解決手段】内部に第一の燃焼室２を有すると共に上部に燃料容器１６を収納した円筒部３と、円筒部３の上部開口４を覆う蓋体５と、内部に第一の燃焼室２と連通した第二の燃焼室６を有する燃焼器具本体７と、第二の燃焼室６に連通し燃焼器具本体７の上部に立設される排気筒８を備えた燃焼器具１において、燃焼器具本体７の底板部材２６中央に周方向に回転する回転板２５を設け、一端が回転板２５の下面に接着され他端に歯車４０を固着した軸芯３８を有し、一側が歯車４０に噛合する回転操作部材４２を底板部材２６の下面に設けたことで、燃料が燃焼することで発生する可燃性ガスが第一の燃焼室２から第二の燃焼室６へと燃焼しながら流入し、これが排気筒８へと排気されるので、第二の燃焼室６へ投入した食品を直火で加熱することができ、さらに回転板２５により食品を回転させながら加熱することができるので、食品全体を斑なく温めることができる。【選択図】図５
2017096612.tif 000002
【特許請求の範囲】
【請求項１】
内部に第一の燃焼室を有すると共に上部に燃料容器を収納した円筒部と、前記円筒部の上部開口を覆う蓋体と、内部に前記第一の燃焼室と連通した第二の燃焼室を有する燃焼器具本体と、前記第二の燃焼室に連通し前記燃焼器具本体の上部に立設される排気筒を備えた燃焼器具において、前記燃焼器具本体の底板部材中央に周方向に回転する回転板を設け、一端が前記回転板の下面に接着され他端に歯車を固着した軸芯を有し、一側が前記歯車に噛合する回転操作部材を前記底板部材の下面に設けたことを特徴とする燃焼器具。
【請求項２】
前記円筒部が上部側面にスリット孔が穿設されたスリット部を設け、前記蓋体が天板部より前記円筒部の内壁に沿って垂下される閉塞部を有し、前記円筒部の上部開口に前記蓋体を装着することで、前記スリット部が前記閉塞部により開閉自在となることを特徴とする請求項１記載の燃焼器具。
【請求項３】
前記第二の燃焼室の連通路側に遮熱板を配設したことを特徴とする請求項１又は２記載の燃焼器具。
【請求項４】
前記燃焼器具本体内に前記連通路から前記排気筒にかけて内部を仕切る隔壁を設けたことを特徴とする請求項１又は２記載の燃焼器具。
【発明の詳細な説明】
【技術分野】
【０００１】  本発明は、薪、炭、石炭、練炭、木片チップ又はペレット等を燃料として使用する燃焼器具に関する。
【背景技術】
【０００２】  従来、薪、炭、石炭、練炭、木片チップ又はペレット等の植物性由来の燃料（以下、これらを単に固形燃料とする）を使用する燃焼器具に関するものとしては、固形燃料を収容し、下端に通気性の燃料保持部材を有する固形燃料収納体と、該固形燃料収納体の下部に設けられた燃焼室と、該燃焼室に連通した排気装置とを有し、前記固形燃料収納体に外気吸入口を設けた構成により、一定の火力を長時間維持することができるとした燃焼器具が提案されている（例えば特許文献１）。特許文献１の燃焼器具によれば、固形燃料収納体に収納された固形燃料に着火すると、燃焼が進むにつれ固形燃料から発生した可燃性ガスが燃焼室から水平に延設される第２燃焼室へと排出され、ここから更に排出装置たる煙突を抜けて外部へと排出される。こうした構成により、固形燃料収納体内の固形燃料が燃焼している間は、第２燃焼室内を絶えず可燃性ガスが固形燃料収納体側から排出装置側へと流通しており、燃焼室から水平に延設された第２燃焼室上の温度が次第に上昇していくので、第２燃焼室上を加熱調理部として使用することができ、焼き物や煮炊きなどの調理をすることができる。また、第２燃焼室の下部に引出しや調理器具載置部材を設けることにより、第２燃焼室の下部は輻射熱を利用したオーブンとして使用することができるものである。
【先行技術文献】
【特許文献】
【０００３】
【特許文献１】特開２００９−１９８４６号公報
【発明の概要】
【発明が解決しようとする課題】
【０００４】  上記のような構成の燃焼器具によれば、第２燃焼室の内部を通る可燃性ガスの熱を利用することができるので、第２燃焼室の天面では、熱伝導率の高い調理器具を天面に直接接触させることで十分な熱量により加熱調理することができる。一方で、下部に設けるとした引出しや調理器具載置部材では、引出し内に入れた食品の第２燃焼室側である上面が輻射熱により温まっても、下面は引出しに対して第２燃焼室の熱が十分に伝わらないため食品が温まらないという問題があった。例えば、ピザ等の食品を入れた場合には生地部分に火が通らずに冷たいまま、或は生焼けの状態となってしまい、食品全体に火を通すことができなかった。また、特許文献１によれば、火力を調整したい場合には、固形燃料収納体の上部開口または着火口からの吸気量を調整する必要があるが、何れも蓋の開閉を加減する必要があり、蓋の開閉加減は経験則により調整していかねばならず火力調整が不便であり、利便性の更なる向上が切望されていた。【０００５】  そこで、本発明が解決しようとする課題は、オーブン機能を備え、安全且つ容易に火力を調整することができる燃焼器具を提供することである。
【課題を解決するための手段】
【０００６】  請求項１の発明は、内部に第一の燃焼室を有すると共に上部に燃料容器を収納した円筒部と、前記円筒部の上部開口を覆う蓋体と、内部に前記第一の燃焼室と連通した第二の燃焼室を有する燃焼器具本体と、前記第二の燃焼室に連通し前記燃焼器具本体の上部に立設される排気筒を備えた燃焼器具において、前記燃焼器具本体の底板部材中央に周方向に回転する回転板を設け、一端が前記回転板の下面に接着され他端に歯車を固着した軸芯を有し、一側が前記歯車に噛合する回転操作部材を前記底板部材の下面に設けたことを特徴とする。【０００７】  請求項２の発明は、前記円筒部が上部側面にスリット孔が穿設されたスリット部を設け、前記蓋体が天板部より前記円筒部の内壁に沿って垂下される閉塞部を有し、前記円筒部の上部開口に前記蓋体を装着することで、前記スリット部が前記閉塞部により開閉自在となることを特徴とする。【０００８】  請求項３の発明は、前記第二の燃焼室の連通路側に遮熱板を配設したことを特徴とする。【０００９】  請求項４の発明は、前記燃焼器具本体内に前記連通路から前記排気筒にかけて内部を仕切る隔壁を設けたことを特徴とする。
【発明の効果】
【００１０】  請求項１の発明によれば、燃料が燃焼することで発生する可燃性ガスが第一の燃焼室から第二の燃焼室へと燃焼しながら流入し、これが排気筒へと排気されるので、第二の燃焼室へ投入した食品を直火で加熱することができ、さらに回転板により食品を回転させながら加熱することができるので、食品全体を斑なく温めることができる。【００１１】  請求項２の発明によれば、蓋体を円筒部の周方向に回動させるだけでスリット部を閉塞部が開閉して吸気量を調整することができるので、食品に適した温度調整を簡便に行うことができる。【００１２】  請求項３の発明によれば、第一の燃焼室から第二の燃焼室へと燃焼しながら流入した可燃性ガスが遮熱板により遮られることで燃焼器具本体の内壁や天面に向かう対流となり、投入した食品を周囲から満遍なく温めることができる。【００１３】  請求項４の発明によれば、第二の燃焼室内における流路室の容積が小さくなり煙突効果による吸排気が強くなるので、火力が安定すると共に燃焼器具本体内にある加熱室の食品を焦がすことなく温めることができる。
【図面の簡単な説明】
【００１４】
【図１】本発明の実施例１を示す正面斜視図である。
【図２】本発明の実施例１を示す背面斜視図である。
【図３】本発明の実施例１を示す円筒部の分解斜視図である。
【図４】本発明の実施例１を示す底面図である。
【図５】本発明の実施例１を示す正面図中央縦断面図である。
【図６】本発明の実施例２を示す正面図中央縦断面図である。
【発明を実施するための形態】
【００１５】  本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１６】  以下、本実施例を図１〜５に基づいて説明する。本実施例の燃焼器具１は、全体として植物性由来の燃料（図示しない）を燃焼する第一の燃焼室２を内部に有する縦長円柱状の円筒部３と、円筒部３の上部開口４を覆う蓋体５と、円筒部３の内部に形成される第一の燃焼室２と連通して設けられ、投入した食品を加熱する第二の燃焼室６を内部に有する扁平円柱状の燃焼器具本体７と、この燃焼器具本体７の天面中央に設けられる排気筒８と、燃焼器具本体７の底面に設けられる折り畳み可能な複数の脚部９により構成される。尚、本実施例の燃焼器具は、薪、炭、石炭、練炭、木片チップ又はペレット等の植物性由来の燃料を使用するが、食品を加熱することからして煙や灰が少ないペレットの使用が好ましい。【００１７】  前記円筒部３は、上端に一対で形成される凹状の保持部１０を有し、この保持部１０の左右にはそれぞれ縦長のスリット孔１１を円筒部３の周方向に複数穿設したスリット部１２が対向して配置される。また、円筒部３の下部には着火口１３と、この着火口１３を開閉する第一の扉体１４が設けられ、円筒部３の内部には第一の燃焼室２が形成されており、着火口１３と対向する位置のやや上側には第一の燃焼室２と燃焼器具本体７内にある第二の燃焼室６とを連通する連通路を形成するための第一の連通孔１５が設けられる。【００１８】  さらに、円筒部３の上部には燃料容器１６が収納される。燃料容器１６は、円筒部３よりも小径の円柱状に形成された金網であり、燃料容器１６の上部にはフランジ部１７が設けられる。フランジ部１７には、側面から外側に張り出し、上方に向かい僅かに立ち上がった後、再び外側に屈曲形成される薄い板状部材から成る掛止部１８が、円筒部３の保持部１０に対応して一対で設けられる。こうした燃料容器１６は、側面と底面とで格子部分を異なる寸法で形成するか、或は側面又は底面の一方をパンチングメタルにするなどすることで、ペレットなどの燃料が燃えた後に出る灰が第一の燃焼室２の底面に落ち難い構成が好ましく、他にも燃料容器１６の下部に傾斜部を設ける等して燃料容器１６の底面と傾斜部との間に空間を作ることで一定量の酸素を確保し、燃料の燃焼を促進する構成としても良い。【００１９】  そして、円筒部３の保持部１０に燃料容器１６の掛止部１８が掛止されることで、燃料を収容した燃料容器１６が円筒部３に載置された後、円筒部３の上部開口４は蓋体５で覆われる。蓋体５は、円筒部３よりも径大な天板部１９を有し、天板部１９の一端に持ち手部２０が設けられ、天板部１９の下面には、円筒部３の内壁に沿うように垂下する断面円弧状の閉塞部２１が設けられる。閉塞部２１は、円筒部３のスリット孔１１を開閉自在に閉塞するために設けられることから、スリット部１２が設けられる位置に対応しており、本実施例ではスリット部１２と同様に一対で対向配置され、高さがスリット孔１１の長手方向全長よりも長く、複数のスリット孔１１を塞ぐことができる幅に形成される薄い板状部材であり、これら一対の閉塞部２１の交差方向には、切り欠き部２２が形成され、これらによりスリット部１２の開閉機構を構成している。本実施例の場合には、蓋体５により円筒部３の上部開口４を塞いだ状態で、���ち手部２０により操作して円筒部３の周方向左右いずれかに略９０度回動させると、スリット孔１１を閉塞して、開状態から閉状態に切り替えることができる。また火力によっては、略４５度回動させることでスリット部１２の半分が開口した状態で、もう半分が閉口した状態とすることができ、必要な吸気量に合わせて調整することができる。こうしたスリット部１２の開閉機構により、燃焼室の火力に応じて吸気量を調整することができるので、加熱する食品に適した火力にするなどした温度調整を簡便に行うことができる。尚、本実施例における円筒部３の保持部１０は、スリット孔１１の下端よりも掛止部１８の板厚以上の長さに深く切り欠くものとし、円筒部３に燃料容器１６を収納した状態で蓋体５を装着した際に、当該蓋体５の天板部１９と円筒部３の上部開口４との間に隙間が形成されないよう構成するものとする。【００２０】  こうした円筒部３と連通する燃焼器具本体７は、外側カバー部材２３と、外側カバー部材２３に収納されることで二重構造を成す内側カバー部材２４と、中央に周方向に回転する円形の回転板２５を有した底板部材２６とを一体に設けて構成される。外側カバー部材２３は、天面中央に排気筒８の基部が挿入される第一の挿通孔２７が穿設されており、一側の側面には第一の燃焼室２と連通する第二の連通孔２８が形成され、他側には食品の投入口２９が形成されると共に、覗き窓３０を有する第二の扉体３１が開閉自在に設けられている。また、内側カバー部材２４は、天面中央の前記第一の挿通孔２７に対応する位置に排気筒８の基部となる立ち上がり部３２を有し、外側カバー部材２３の第二の連通孔２８に対応して第三の連通孔３３が第二の燃焼室６の円筒部３側に設けられる。これにより、連通路３４は、第一の燃焼室２における第一の連通孔１５を入口として内側カバー部材２４の第三の連通孔３３まで連通されるため、これら連通孔に連結部材３５を挿通して固着することで形成される。【００２１】  また、外側カバー部材２３と内側カバー部材２４の下部には、内部に中空部３６を有する板状の底板部材２６が設けられており、底板部材２６の下面には中心位置に第二の挿通孔３７が穿設されている。そして、これら外側カバー部材２３、内側カバー部材２４及び底板部材２６が組み立てられ溶接やビス止めすることにより、一体となり燃焼器具本体７が形成される。尚、本実施例では、円筒部３と燃焼器具本体７との連結に際しては、円筒部３と外側カバー部材２３の側面および円筒部３と底板部材２６の底面にそれぞれ薄板状の接合部材を用いて連結しており、これにより部材間の接合部である連通路３４を補強し、燃焼器具本体７から円筒部３が脱落することがないよう構成している。【００２２】  次に、本実施例における回転板２５の回転機構３８について説明する。底板部材２６の中央に配設される回転板２５は、上面が底板部材２６と面一となるよう設けられており、下面側に回転機構３８が設けられている。回転機構３８は、底板部材２６の下面に設けられた第二の挿通孔３７に軸芯３９を挿入し、軸芯３９の一端を回転板下面の中心位置に薄い補強板４０を介して接着固定する。また、前記回転機構３８は、燃焼器具本体７よりも外側に露出した���芯３９の他端側から、底板部材２６との間に間隙を設けた状態で歯車４１を軸芯３９に固着し、歯車４１の抜け止めのために他端をナット等の固定部材で固定することで構成されている。そして、底板部材２６の下面には、回転機構３８を操作するために歯車４１側となる一側に歯車４１と噛合するように噛合溝４２を形成した回転操作部材４３が設けられる。【００２３】  前記回転操作部材４３は、細長い棒状部材から成り、基端に設けられた操作部４４と、先端に設けられた下方に屈曲する抜け止め用の屈曲部４５とを有し、噛合溝４２と歯車４１が噛合する位置に底板部材２６の直径方向に亘って設けられ、底板部材２６の下面に固定された保持部材４６によって摺動自在に保持されている。こうした構成により、操作部４４を持って回転操作部材４３を前後に摺動させると、回転操作部材４３の一側に設けられた噛合溝４２と噛合した歯車４１が回転し、これと連動して歯車４１と一体に設けられる軸芯３９を介して回転板２５が回転することで、回転板２５を周方向に回動させることができる。これにより、回転板２５の上にのせた食品を回転させながら加熱することができ、食品全体を斑なく温めることができる。尚、本実施例では、回転操作部材４３の噛合溝４２を全長の中程から先端にかけて形成しているが、噛合溝４２の長さは歯車４１の歯数により変更するものであり、回転板２５を一回転させられる長さに設ければ良い。また、回転機構３８としてギヤ式の発条仕掛けにして、回転操作部材４３をハンドル等にしても良く、回転機構３８はこれに限定されるものではない。【００２４】  上記構成の燃焼器具本体７の上部には、内側カバー部材２４に設けられる立ち上がり部３２に連結させて排気筒８が設けられる。排気筒８の基部である立ち上がり部３２は、排気筒８内の空気を早く昇温させて煙突効果を高めるため先端側よりも広く裾広がりに形成されている。また、本実施例の燃焼器具１には、内側カバー部材２４に設けられた第三の連通孔３３の近傍、具体的には第二の燃焼室６側にある連通路３４の開口端部から５〜１０ｃｍ程度離間されて、底板部材２６の天面から上方へ向かい立ち上がる遮熱板４６が設けられる。遮熱板４６は、第一の燃焼室２から第二の燃焼室６へと燃焼しながら流入する可燃性ガスを遮ることで、可燃性ガスを迂回させて左右方向と上方向に分流させ、燃焼器具本体７内で燃焼器具本体７の内壁や天面に向かう対流となるので、投入した食品を周囲からの対流により満遍なく温めることができる。【００２５】  こうした構成の燃焼器具１について、その作用を説明する。先ず、本実施例の燃焼器具１を使用するにあたっては、燃焼器具本体７に設けられる第二の扉体３１を閉めた後、燃料容器１６に燃料を充填して、燃料が収容された燃料容器１６の掛止部１８を円筒部３の保持部１０に掛止して、円筒部３の下部に設けられる着火口１３から燃料容器に収容された燃料に着火する。この時、蓋体５は円筒部３に装着しないままでいるか、スリット孔１１を開状態となるよう操作して吸気を十分に行うことで不完全燃焼とならず、燃料の燃焼が安定していく。着火直後は、気化した可燃性ガスの熱により円筒部３の第一の燃焼室２内で上昇気流が発生するが、燃焼が進���に従い第一の燃焼室２と連通する第二の燃焼室６が温まり、次第に排気筒８内の空気が温まるので排気筒８による煙突効果が先に発生した上昇気流の上昇力を上回り、可燃性ガスが第一の燃焼室２から第二の燃焼室６へと流入し排気筒８から外部へと排出されるようになる。こうして燃料の燃焼が安定してきた状態で、燃焼器具本体７の投入口２９より例えばピザ等の食品を回転板２５上に投入する。投入時には、投入口２９の開口部が大きいことから、投入口２９からの吸気量が円筒部３の上部開口４やスリット部１２からの吸気量よりも増えるので、一時的に逆火となる。すなわち、排気筒８が投入口２９からの冷たい空気を引き入れるので、燃料から発生する可燃性ガスは、第一の燃焼室２から第二の燃焼室６へと流入せず、第一の燃焼室２内で再び上昇気流となるため、食品を投入する際には、燃焼した可燃性ガスによる火傷を防止することができる。そして、食品の投入後は、第二の蓋体５を閉めることで、再び円筒部３側からの吸気による煙突効果が発生するので安定して第二の燃焼室６内で食品を安全に加熱調理することができる。【００２６】  そして、食品の加熱時には、第一の燃焼室２から第二の燃焼室６へと流入する可燃性ガスが、排気筒８へと向かう中途で第三の連通孔３３の近傍に設けられる遮熱板４６により遮られて分流し、燃焼器具本体７の内壁や天面に向かう対流となって、回転板２５上の食品を上側及び左右側から加熱するので、食品を周囲から満遍なく温めることができる。また、加熱時の火力は、円筒部３の上部に設けられるスリット部１２を蓋体５の閉塞部２１により開閉して吸気量を調整することができることにより、食品に適した温度調整を簡便に行うことができる。しかも、燃焼器具本体７に設けられた第二の扉体３１に設けた覗き窓３０により火力や対流を確認することができるので、食品の加熱状況に応じて回転板２５を回転操作部材４３により操作することで回動させて、食品全体を焦がすことなく斑なく温めることができる。【００２７】  以上のように、本実施例では、内部に第一の燃焼室２を有すると共に上部に燃料容器１６を収納した円筒部３と、円筒部３の上部開口４を覆う蓋体５と、内部に第一の燃焼室２と連通した第二の燃焼室６を有する燃焼器具本体７と、第二の燃焼室６に連通し燃焼器具本体７の上部に立設される排気筒８を備えた燃焼器具１において、燃焼器具本体７の底板部材２６中央に周方向に回転する回転板２５を設け、一端が回転板２５の下面に接着され他端に歯車４１を固着した軸芯３９を有し、一側が歯車４１に噛合する回転操作部材４３を底板部材２６の下面に設けたことで、燃料が燃焼することで発生する可燃性ガスが第一の燃焼室２から第二の燃焼室６へと燃焼しながら流入し、これが排気筒８へと排気されるので、第二の燃焼室６へ投入した食品を直火で加熱することができ、さらに回転板２５により食品を回転させながら加熱することができるので、食品全体を斑なく温めることができる。【００２８】  また、円筒部３が上部側面に複数のスリット孔１１が穿設されたスリット部１２を設け、蓋体５が天板部１９より円筒部３の内壁に沿って垂下される閉塞部２１を有し、円筒部３の上部開口４に蓋体５を装着することで、スリ���ト部１２が閉塞部２１により開閉自在となるため、蓋体５を円筒部３の周方向に回動させるだけでスリット部１２を閉塞部２１が開閉して吸気量を調整することができるので、食品に適した温度調整を簡便に行うことができる。【００２９】  さらに、第二の燃焼室６の連通路側に遮熱板４６を配設したことで、第一の燃焼室２から第二の燃焼室６へと燃焼しながら流入した可燃性ガスが遮熱板４６により遮られることで燃焼器具本体７の内壁や天面に向かう対流となり、投入した食品を周囲から満遍なく温めることができる。
【実施例２】
【００３０】  次に他の実施例について説明する。尚、前記実施例１と同一部分には同一符号を付し、その詳細な説明を省略する。【００３１】  図６は実施例２を示しており、本実施例では、第二の燃焼室６内を可燃性ガスが流通する連通路３４の流出口４８から排気筒８の流入口４９にかけて形成される可燃性ガスの流路側の空間と、投入される食品を加熱する流路以外の空間とを隔壁５０を設けることにより仕切っている。隔壁５０は、連通路３４の流出口４８から排気筒８の流入口４９に向かう可燃性ガスが回転板２５に触れることのないように、連通路３４の流出口下端５１から排気筒８の流入口端部５２のうち投入口側にかけて内側カバー部材２４の内壁に沿って隙間なく密閉して固着される薄板状部材であり、連通路側から排気筒側にかけて上向きに傾斜して設けられる。これにより、第二の燃焼室６は、可燃性ガスの流路室６Ａと食品の加熱室６Ｂに分けられるため、可燃性ガスの流路が形成される流路室６Ａ内の容積が隔壁５０を設けたことにより小さくなるので、着火後に排気筒８内の温度を速やかに上昇させて、煙突効果による吸排気が強くなることで安定した火力を維持することができる。また、隔壁５０を傾斜して設けた構成上、隔壁５０の下部から上部にかけては熱分布が不均一となるが、回転機構３８が設けられていることで、最も高温となる隔壁５０の下部にあっても食品を部分的に焦がすことなく温めることができ、燃焼時の隔壁５０の温度は、略３００度〜５００度にもなるため、加熱室６Ｂに投入される食品を十分に温めることができる。尚、隔壁５０に用いられる薄板部材は胴板やアルミ等の熱伝導率の高い材質が望ましく、隔壁５０を設けた場合には、可燃性ガスが加熱室６Ｂに流入しないことから、投入口２９に必ずしも第二の扉体３１を設ける必要はない。また、本実施例では隔壁５０を傾斜して設けたが、連通路３４の流出口４８より水平に延出させて排気筒８の流入口４９に向かい立ち上げた構成としてもよく、流路室６Ａ内の容積や排気筒８が立設される位置などにより変更するものとする。【００３２】  以上のように、本実施例では、燃焼器具本体７の内側カバー部材２４内に連通路３４から排気筒８にかけて内部を仕切る隔壁５０を設けたことで、第二の燃焼室６内における流路室６Ａの容積が小さくなり煙突効果による吸排気が強くなるので、火力が安定すると共に燃焼器具本体内にある加熱室の食品を焦がすことなく温めることができる。
【符号の説明】
【００３３】１    燃焼器具
２    第一の燃焼室
３    円筒部
５    蓋体
６    第二の燃焼室
７    燃焼器具本体
１１  スリット孔
１２  スリット部
１３  着火口
１５  連通路の入口
１６  燃料容器
１８  掛止部
１９  天板部
２１  閉塞部
２２  切り欠き部
２３  外側カバー部材
２４  内側カバー部材
２５  回転板
２６  底板部材
２７  第一の挿通孔
３３  連通路の出口
３４  連通路
３５  連結部材
３６  中空部
３８  回転機構
３９  軸芯
４１  歯車
４２  噛合溝
４３  回転操作部材
４７  遮熱板
５０  隔壁
【図１】
2017096612.tif 000003
【図２】
2017096612.tif 000004
【図３】
2017096612.tif 000005
【図４】
2017096612.tif 000006
【図５】
2017096612.tif 000007
【図６】
2017096612.tif 000008